(57)【要約】【課題】通信品質の低下を抑制することができる無線通信システム、無線ＬＡＮ通信装置の管理装置、及び、その管理方法を提供すること。【解決手段】本発明にかかる無線通信システム１は、ＡＰ２０ａ〜２０ｃと、認証サーバ３０と、を備える。ＡＰ２０ａ〜２０ｃは、ＷｉＦｉ端末４０ａ、４０ｂと無線ＬＡＮを介して接続可能である。認証サーバ３０は、ＡＰ２０ａ〜２０ｃの収容状況に応じて、複数のＡＰ２０ａ〜２０ｃのうち、ＷｉＦｉ端末４０ａ、４０ｂを収容させるＡＰを選択する。そして、認証サーバ３０は、ＷｉＦｉ端末４０ａ、４０ｂを、選択されたＡＰに強制的に接続させる。【選択図】図１
2015106899.tif 000002
【特許請求の範囲】
【請求項１】
無線端末と通信可能である複数の無線ＬＡＮ通信装置と、
前記無線ＬＡＮ通信装置における前記無線端末の収容状況に応じて、複数の前記無線ＬＡＮ通信装置のうち、前記無線端末を収容させる前記無線ＬＡＮ通信装置を選択する選択手段と、
前記無線端末を、選択された前記無線ＬＡＮ通信装置に強制的に接続させる接続設定手段と、
を備える無線通信システム。
【請求項２】
前記無線端末の端末識別情報を取得する端末識別情報取得手段と、
前記端末識別情報取得手段が取得した前記端末識別情報に基づいて、認証処理を行う認証手段と、
をさらに備え、
前記選択手段は、前記収容状況及び前記認証手段の認証結果に基づいて、前記無線端末を収容させる前記無線ＬＡＮ通信装置を選択する請求項１に記載の無線通信システム。
【請求項３】
前記選択手段は、
前記認証結果が認証成功の場合、前記無線端末を複数の無線ＬＡＮ通信装置に含まれる第１の無線ＬＡＮ通信装置を選択し、
前記認証結果が認証失敗の場合、前記無線端末を複数の無線ＬＡＮ通信装置に含まれ、前記第１の無線ＬＡＮ通信装置とは異なる第２の無線ＬＡＮ通信装置を選択する請求項２に記載の無線通信システム。
【請求項４】
前記第１の無線ＬＡＮ通信装置及び前記第２の無線ＬＡＮ通信装置は、全ての前記無線端末の接続を禁止するように予め設定されたフィルタ機能を有しており、
前記接続設定手段は、前記第１の無線ＬＡＮ通信装置のフィルタに対して、認証成功した前記無線端末の接続を許可する設定を行う請求項３に記載の無線通信システム。
【請求項５】
前記接続設定手段は、前記第２の無線ＬＡＮ通信装置のフィルタに対して、認証失敗した前記無線端末の接続を許可する設定を行う請求項３または４に記載の無線通信システム。
【請求項６】
前記第１の無線ＬＡＮ通信装置は、インターネットに接続されており、
前記第２の無線ＬＡＮ通信装置は、インターネットに接続されていない請求項３〜５のいずれか一項に記載の無線通信システム。
【請求項７】
複数の前記無線ＬＡＮ通信装置における前記無線端末の収容台数及び収容可能台数を格納するテーブルを記憶する記憶手段をさらに備え、
前記選択手段は、複数の前記無線ＬＡＮ通信装置の前記収容可能台数に対する前記収容台数の割合が等しくなるように、前記無線端末を収容させる前記無線ＬＡＮ通信装置を選択する請求項１〜６のいずれか一項に記載の無線通信システム。
【請求項８】
複数の前記無線ＬＡＮ通信装置には、それぞれ異なる周波数帯が割り当てられている請求項１〜７のいずれか一項に記載の無線通信システム。
【請求項９】
無線端末と通信可能である複数の無線ＬＡＮ通信装置の管理装置であって、
前記無線ＬＡＮ通信装置における前記無線端末の収容状況に応じて、複数の前記無線ＬＡＮ通信装置のうち、前記無線端末を収容させる前記無線ＬＡＮ通信装置を選択する選択手段と、
前記無線端末を、選択された前記無線ＬＡＮ通信装置に強制的に接続させる接続設定手段と、
を備える無線ＬＡＮ通信装置の管理装置。
【請求項１０】
無線端末と通信可能である複数の無線ＬＡＮ通信装置の管理方法であって、
前記無線ＬＡＮ通信装置における前記無線端末の収容状況に応じて、複数の前記無線ＬＡＮ通信装置のうち、前記無線端末を収容させる前記無線ＬＡＮ通信装置を選択する選択するステップと、
前記無線端末を、選択された前記無線ＬＡＮ通信装置に強制的に接続させるステップと、
を備える無線ＬＡＮ通信装置の管理方法。
【発明の詳細な説明】
【技術分野】
【０００１】
本発明は、無線通信システム、無線ＬＡＮ通信装置の管理装置、及び、その管理方法に関する。
【背景技術】
【０００２】
近年、スマートフォン等のＷｉＦｉ（登録商標）機能を備える無線通信端末が普及している。また、公共の場所（イベント会場や駅、ホテル等）に、無線ＬＡＮ（Local Area Network）を提供するアクセスポイントを設置することが進められている。
【０００３】
なお、特許文献１には、ある店舗に存在する無線端末を検出し、検出された無線端末に対して、予約可能な他の店舗の情報を通知する予約処理装置が開示されている。
【先行技術文献】
【特許文献】
【０００４】
【特許文献１】特許第５１７２０２９号公報
【発明の概要】
【発明が解決しようとする課題】
【０００５】
ＷｉＦｉ端末を保有するユーザが大勢集うイベント会場において、複数のアクセスポイントを設置して通信経路（無線ＬＡＮ）の提供を行う場合がある。このような場合に、アクセスポイントの電波強度の違い等の影響で、自動的に、ある特定のアクセスポイントに、ＷｉＦｉ端末が偏って接続（収容）されてしまうことがある。その結果、特定のアクセスポイントの収容可能台数の上限までＷｉＦｉ端末が収容されてしまい、通信速度の低下や接続切断等、通信品質が低下してしまうという問題があった。
【０００６】
本発明は、このような問題を解決するためになされたものであり、通信品質の低下を抑制することができる無線通信システム、無線ＬＡＮ通信装置の管理装置、及び、その管理方法を提供することを目的としている。
【課題を解決するための手段】
【０００７】
本発明にかかる無線通信システムは、無線端末と通信可能である複数の無線ＬＡＮ通信装置と、前記無線ＬＡＮ通信装置における前記無線端末の収容状況に応じて、複数の前記無線ＬＡＮ通信装置のうち、前記無線端末を収容させる前記無線ＬＡＮ通信装置を選択する選択手段と、前記無線端末を、選択された前記無線ＬＡＮ通信装置に強制的に接続させる接続設定手段と、を備えるものである。
【０００８】
本発明にかかる無線ＬＡＮ通信装置の管理装置は、無線端末と通信可能である複数の無線ＬＡＮ通信装置の管理装置であって、前記無線ＬＡＮ通信装置における前記無線端末の収容状況に応じて、複数の前記無線ＬＡＮ通信装置のうち、前記無線端末を収容させる前記無線ＬＡＮ通信装置を選択する選択手段と、前記無線端末を、選択された前記無線ＬＡＮ通信装置に強制的に接続させる接続設定手段と、を備えるものである。
【０００９】
本発明にかかる無線ＬＡＮ通信装置の管理方法は、無線端末と通信可能である複数の無線ＬＡＮ通信装置の管理方法であって、前記無線ＬＡＮ通信装置における前記無線端末の収容状況に応じて、複数の前記無線ＬＡＮ通信装置のうち、前記無線端末を収容させる前記無線ＬＡＮ通信装置を選択する選択するステップと、前記無線端末を、選択された前記無線ＬＡＮ通信装置に強制的に接続させるステップと、を備えるものである。
【発明の効果】
【００１０】
本発明により、通信品質の低下を抑制することができる無線通信システム、無線ＬＡＮ通信装置の管理装置、及び、その管理方法を提供することができる。
【図面の簡単な説明】
【００１１】
【図１】実施の形態にかかる無線通信システムの構成を示す図である。
【図２】実施の形態にかかる認証サーバのブロック図である。
【図３】実施の形態にかかる契約者テーブルを示す図である。
【図４】実施の形態にかかる割り振り情報テーブルを示す図である。
【図５】実施の形態にかかる無線通信システムの動作を示すシーケンス図である。
【図６】本発明にかかる管理装置のブロック図である。
【発明を実施するための形態】
【００１２】
実施の形態
以下、図面を参照して本発明の実施の形態について説明する。本実施の形態にかかる無線通信システム１の構成を図１に示す。図１は、イベント会場９００に、無線通信システム１を適用した例である。イベント会場９００は、ビルやホール、公園等であり、ＷｉＦｉ端末４０ａ、４０ｂ（無線端末）を保有したユーザにサービスを提供するエリアである。
【００１３】
＜無線通信システム１の構成＞
はじめに、無線通信システム１の構成について、図１を参照して説明する。無線通信システム１は、ＷｉＦｉ検知センサ１０と、アクセスポイント（以下、単にＡＰと称す）２０ａ〜２０ｃと、認証サーバ３０と、を備える。
【００１４】
ＷｉＦｉ検知センサ１０（端末識別情報取得手段）は、イベント会場等の予め決められたエリアに存在するＷｉＦｉ端末４０ａ、４０ｂを検知する。具体的には、ＷｉＦｉ検知センサ１０は、ＷｉＦｉ端末４０ａ、４０ｂから送信されるフレーム（ＡＰ２０ａ〜２０ｃをスキャンするためのフレーム、たとえばプローブ要求等）を受信することにより、イベント会場９００内に存在するＷｉＦｉ端末４０ａ、４０ｂを検知する。予め決められたエリアとは、例えば、数十メートルの領域であり、ＡＰ２０ａ〜２０ｃの電波が届く範囲である。なお、ＷｉＦｉ端末４０ａ、４０ｂは、ＷｉＦｉ機能を用いて無線ＬＡＮに接続可能な通信端末であり、たとえば、携帯電話、スマートフォン、タブレットＰＣ、ノートＰＣ、携帯ゲーム機、携帯音楽プレーヤー等である。
【００１５】
なお、上記フレームは、無線ＬＡＮに関する情報（ＳＳＩＤ等）の要求信号や、ＷｉＦｉ端末４０ａ、４０ｂのＭＡＣアドレス及び製品情報等の端末を識別するための情報（端末識別情報）を含む。ＷｉＦｉ検知センサ１０は、有線または無線を用いて認証サーバ３０と接続されており、検知結果として端末識別情報を認証サーバ３０に送信する。
【００１６】
ＡＰ２０ａ〜２０ｃ（無線ＬＡＮ通信装置）は、イベント会場９００内のＷｉＦｉ端末４０ａ、４０ｂに対して、無線ＬＡＮを提供する。ＡＰ２０ａ〜２０ｃは、ＭＡＣフィルタ機能を有する。ＭＡＣフィルタとは、予め設定されたＭＡＣアドレスを有するＷｉＦｉ端末のみを接続させる（収容する）ためのフィルタである。つまり、予め設定されたＭＡＣアドレス以外のＭＡＣアドレスを有するＷｉＦｉ端末は、ＭＡＣフィルタによって弾かれるため、ＡＰに接続することができない。ＡＰ２０ａ〜２０ｃは、初期状態として、全てのＭＡＣアドレスに対してフィルタをかけている。つまり、初期状態においては、ＡＰ２０ａ〜２０ｃは、全てのＷｉＦｉ端末４０ａ、４０ｂの接続を排除する。
【００１７】
また、ＡＰ２０ａ、２０ｂは、インターネット５０（ＷＡＮ（Wide Area Network））に接続されている。このため、ＡＰ２０ａ、２０ｂに収容されたＷｉＦｉ端末は、ＡＰ２０ａ、２０ｂを介して、インターネット５０に接続することができる。一方、ＡＰ２０ｃは、インターネット５０に接続されていない。このため、ＡＰ２０ｃに収容されたＷｉＦｉ端末は、ＡＰ２０ｃを介して、インターネット５０に接続することができない。なお、ＡＰ２０ａ〜２０ｃは、既存のＡＰを用いることができるため、詳細な内部構成の説明は省略する。
【００１８】
認証サーバ３０（管理装置）は、ＷｉＦｉ検知センサ１０から受信した端末識別情報及びＡＰ２０ａ〜２０ｃの収容状況に基づいて、複数のＡＰ２０ａ〜２０ｃのうち、イベント会場９００に存在するＷｉＦｉ端末４０ａ、４０ｂを収容させるＡＰを選択する。そして、認証サーバ３０は、選択したＡＰにＷｉＦｉ端末を強制的に接続させる。
【００１９】
図２を参照して、認証サーバ３０の詳細な構成について説明する。図２は、認証サーバ３０のブロック図である。認証サーバ３０は、受信部３１と、記憶部３２と、認証部３３と、設定部３４と、を備える。
【００２０】
受信部３１は、ＷｉＦｉ検知センサ１０から、ＷｉＦｉ端末４０ａ、４０ｂの端末識別情報を受信する。
【００２１】
記憶部３２は、ＲＡＭ（Random Access Memory）やＲＯＭ（Read Only Memory）等のメモリである。記憶部３２は、契約者テーブル３２１と、割り振り情報テーブル３２２と、を格納する。
【００２２】
契約者テーブル３２１の一例を図３に示す。契約者テーブル３２１は、サービス契約者（契約端末）のＭＡＣアドレスを格納する。なお、サービスとは、ＡＰを介したインターネット接続サービスや、ＡＰを介したイベント会場独自の情報の提供サービス等、ＡＰの無線ＬＡＮを用いたサービスを意味する。
【００２３】
割り振り情報テーブル３２２の一例を図４に示す。割り振り情報テーブル３２２は、「エリアＮｏ」、「ＡＰ  Ｎｏ」、「サービス有無情報」、「ＣＨ番号」、「収容台数」、「収容ＭＡＣアドレスリスト」、及び「収容可能台数」を格納する。
【００２４】
「エリアＮｏ」は、イベント会場９００等の予め決められたサービス提供エリアの識別番号を示す。「ＡＰ  Ｎｏ」は、ＡＰの識別番号を示す。「サービス有無情報」は、ＡＰがサービスを提供しているか否かを示す。「ＣＨ番号」は、ＡＰに設定されたＣＨ番号を示す。「収容台数」は、ＡＰが現在収容しているＷｉＦｉ端末の台数を示す。「収容ＭＡＣアドレスリスト」は、ＡＰに収容されているＷｉＦｉ端末のＭＡＣアドレスのリストである。「収容可能台数」は、ＡＰが収容可能なＷｉＦｉ端末の上限値を示す。
【００２５】
図４の例においては、エリアＮｏ９００（イベント会場９００）には、ＡＰ２０ａ〜２０ｃが設置されていることを示している。また、ＡＰ２０ａ、２０ｂ（第１の無線ＬＡＮ通信装置）はサービスの提供を行っており、ＡＰ２０ｃ（第２の無線ＬＡＮ通信装置）は、サービス未提供である。また、ＡＰ２０ａには、ＣＨ番号１の周波数帯が割り当てられており、ＡＰ２０ｂには、ＣＨ番号６の周波数帯が割り当てられており、ＡＰ２０ｃには、ＣＨ番号１１の周波数帯が割り当てられている。
【００２６】
なお、本実施の形態において、ＣＨ番号とは、２．４ＧＨｚ帯の無線ＬＡＮにおいて使用可能なＣＨ番号を意味している。同一のエリア内では、各ＡＰ２０ａ〜２０ｃに対して異なるＣＨ番号が割り当てられていることが好ましい。さらに望ましくは、各ＡＰ２０ａ〜２０ｃに対して、周波数帯が重複しないＣＨ番号が割り当てられていることが好ましい。
【００２７】
図４の例では、ＡＰ２０ａは、現在３台のＷｉＦｉ端末を収容している。ＡＰ２０ｂは、現在２台のＷｉＦｉ端末を収容している。ＡＰ２０ｃは、現在５台のＷｉＦｉ端末を収容している。ＡＰ２０ａ、２０ｂの収容可能台数は、１０台である。ＡＰ２０ｃの収容可能台数は、５０台である。なお、図４においては、現在ＡＰが収容しているＷｉＦｉ端末の一部のみのＭＡＣアドレスを「収容ＭＡＣアドレスリスト」に記載している。
【００２８】
認証部３３（認証手段）は、端末識別情報に基づいて認証を行う。具体的には、認証部３３は、予め記憶部３２に格納された契約者テーブル３２１を参照して、端末識別情報に含まれるＭＡＣアドレスが契約者テーブル３２１に登録されているか否かを判定する。つまり、認証部３３は、ＷｉＦｉ端末がサービスに契約された端末であるか否かを判定する。
【００２９】
設定部３４（選択手段、接続設定手段）は、記憶部３２に格納された割り振り情報テーブル３２２及び認証部３３の認証結果に基づいて、複数のＡＰ２０ａ〜２０ｃのうち、認証処理が行われたＷｉＦｉ端末を収容させるＡＰを選択する。そして、設定部３４は、認証処理が行われたＷｉＦｉ端末を、選択したＡＰに強制的に接続させる。
【００３０】
具体的には、設定部３４は、ＡＰ２０ａ〜２０ｃのＭＡＣフィルタの設定を変更することにより、認証処理が行われたＷｉＦｉ端末を、選択したＡＰに強制的に接続させる。つまり、設定部３４は、選択したＡＰのＭＡＣフィルタに対して、選択したＡＰに接続させたいＷｉＦｉ端末のＭＡＣアドレスの接続許可を設定する。選択されていないＡＰのＭＡＣフィルタは、認証処理が行われたＷｉＦｉ端末のＭＡＣアドレスの接続が禁止されているため、これらのＡＰにＷｉＦｉ端末は接続することはできない。一方、選択したＡＰのＭＡＣフィルタのみが、認証処理が行われたＷｉＦｉ端末のＭＡＣアドレスの接続を許可している。このため、認証処理が行われたＷｉＦｉ端末は、設定部３４により選択されたＡＰに、必然的に（強制的に）、接続される。
【００３１】
ここで、設定部３４によるＡＰの選択処理について詳細に説明する。まず、設定部３４は、認証部３３の認証結果に基づいて、ＷｉＦｉ端末を接続させるＡＰを選択する。具体的には、設定部３４は、認証結果が認証失敗の場合、つまり、ＷｉＦｉ端末がサービス未契約の端末である場合、ＡＰ２０ａ〜２０ｃのうち、サービス未提供のＡＰ２０ｃを選択する。そして、ＡＰ２０ｃのＭＡＣフィルタに対して、認証失敗したＭＡＣアドレスの接続許可を設定する。これにより、サービス未契約のＷｉＦｉ端末は、強制的にＡＰ２０ｃに接続される。
【００３２】
一方、認証結果が認証成功の場合、つまり、ＷｉＦｉ端末がサービス契約済みの端末である場合、設定部３４は、割り振り情報テーブル３２２を参照して、ＡＰを選択する。具体的には、設定部３４は、サービスを提供するＡＰ２０ａ、２０ｂの現在の収容状況に基づいて、ＷｉＦｉ端末を接続させるＡＰを選択する。収容状況とは、収容台数、収容可能台数、収容率等、ＡＰによるＷｉＦｉ端末の収容状況を示すものである。
【００３３】
例えば、設定部３４は、サービスを提供するＡＰ２０ａ、２０ｂのうち、収容可能台数に対する現在の収容台数の割合が一番低いＡＰを選択する。図４の例においては、ＡＰ２０ａは、収容可能台数１０台に対して現在の収容台数が３台であるため、収容率（現在の収容台数／収容可能台数×１００）は３０％である。これに対して、ＡＰ２０ｂの収容率は２０％である。このため、設定部３４は、収容率の低いＡＰ２０ｂを選択する。そして、ＡＰ２０ｂのＭＡＣフィルタに対して、認証成功したＭＡＣアドレスの接続許可を設定する。これにより、サービス契約済みのＷｉＦｉ端末は、強制的にＡＰ２０ｂに接続される。つまり、設定部３４は、複数のＡＰ２０ａ、２０ｂの収容可能台数に対する収容台数の割合（収容率）が等しくなるように、ＷｉＦｉ端末を収容させるＡＰを選択する。
【００３４】
なお、収容状況に基づくＡＰの選択方法は、上記の方法に限られない。例えば、収容台数が一番少ないＡＰを選択してもよい。また、収容可能台数が一番多いＡＰを選択してもよい。また、収容可能台数になるまで、同じＡＰを選択し、当該ＡＰが収容可能台数の上限値まで収容した後、他のＡＰを選択してもよい。また、ＡＰ  Ｎｏの順番等の所定の順番でＡＰを選択してもよい。
【００３５】
＜無線通信システム１の動作＞
続いて、図５を参照して、本実施の形態にかかる無線通信システム１の動作例について説明する。図５は、無線通信システム１の動作を示すシーケンス図である。なお、以下の説明においては、ＷｉＦｉ端末４０ａがサービス契約済みの端末であり、ＷｉＦｉ端末４０ｂがサービス未契約の端末であるものとする。
【００３６】
まず、ＷｉＦｉ端末４０ａは、ＡＰをスキャンするためのフレームを送信する（ステップＳ１０１）。同様に、ＷｉＦｉ端末４０ｂも、ＡＰをスキャンするためのフレームを送信する（ステップＳ１０２）。なお、上述したように、ＷｉＦｉ端末４０ａ、４０ｂから送信されるフレームには、端末識別情報が含まれている。
【００３７】
次に、ＷｉＦｉ検知センサ１０は、ＷｉＦｉ端末４０ａ、４０ｂから送信されたフレームを受信し、イベント会場９００に存在するＷｉＦｉ端末４０ａ、４０ｂを検知する（ステップＳ１０３）。そして、ＷｉＦｉ検知センサ１０は、受信したフレームに含まれる端末識別情報を認証サーバ３０に送信する（ステップＳ１０４）。
【００３８】
次に、認証サーバ３０は、認証処理を行う（ステップＳ１０５）。具体的には、認証部３３は、受信部３１が受信した端末識別情報に含まれるＭＡＣアドレスが、契約者テーブル３２１に登録されているか否かを判定する。そして、認証部３３は、受信したＭＡＣアドレスが契約者テーブル３２１に存在する場合、認証成功と判定する。一方、認証部３３は、受信したＭＡＣアドレスが契約者テーブル３２１に存在しない場合、認証失敗と判定する。本実施の形態においては、ＷｉＦｉ端末４０ａはサービス契約済みの端末であるため、認証結果は認証成功となる。一方、ＷｉＦｉ端末４０ｂはサービス未契約の端末であるため、認証結果は認証失敗となる。
【００３９】
次に、認証サーバ３０は、割り振り処理を行う（ステップＳ１０６）。具体的には、設定部３４は、認証結果及び割り振り情報テーブル３２２に基づいて、新たに（追加で）収容させるＷｉＦｉ端末４０ａ、４０ｂの接続先（収容先）となるＡＰを選択する。
【００４０】
ＷｉＦｉ端末４０ａはステップＳ１０５において認証成功しているため、設定部３４は、サービスを提供可能なＡＰ２０ａ、２０ｂのいずれかのＡＰを、ＷｉＦｉ端末４０ａの接続先として選択する。このとき、設定部３４は、割り振り情報テーブル３２２を参照して、接続先のＡＰを選択する。
【００４１】
図４に例において説明したように、ＡＰ２０ａの収容率とＡＰ２０ｂの収容率とを比較すると、ＡＰ２０ｂの収容率の方が低い。そのため、設定部３４は、ＷｉＦｉ端末４０ａの接続先として、ＡＰ２０ｂを選択する。
【００４２】
一方。ＷｉＦｉ端末４０ｂはステップＳ１０５において認証失敗しているため、設定部３４は、サービスを提供不可能なＡＰ２０ｃを、ＷｉＦｉ端末４０ｂの接続先として選択する。
【００４３】
そして、設定部３４は、ＷｉＦｉ端末４０ａのＭＡＣアドレスからの接続禁止を解除するように、ＡＰ２０ｂのＭＡＣフィルタの設定を変更する（ステップＳ１０７）。つまり、設定部３４は、ＡＰ２０ｂのＭＡＣフィルタに対して、ＷｉＦｉ端末４０ａのＭＡＣアドレスからの接続を許可する設定を行う。
【００４４】
一方、設定部３４は、ＷｉＦｉ端末４０ｂのＭＡＣアドレスからの接続禁止を解除するように、ＡＰ２０ｃのＭＡＣフィルタの設定を変更する（ステップＳ１０８）。つまり、設定部３４は、ＡＰ２０ｃのＭＡＣフィルタに対して、ＷｉＦｉ端末４０ｂのＭＡＣアドレスからの接続を許可する設定を行う。
【００４５】
ＷｉＦｉ端末４０ａは、ＡＰ２０ｂ以外のＭＡＣフィルタによりＡＰ２０ｂ以外のＡＰとの接続が許可されていないため、必然的に、ＭＡＣフィルタが解除されたＡＰ２０ｂと接続する。そして、ＷｉＦｉ端末４０ａとＡＰ２０ｂとの間の通信が確立される（ステップＳ１０９）。同様に、ＷｉＦｉ端末４０ｂは、ＡＰ２０ｃ以外のＭＡＣフィルタによりＡＰ２０ｃ以外のＡＰとの接続が許可されていないため、必然的に、ＭＡＣフィルタが解除されたＡＰ２０ｃと接続する。そして、ＷｉＦｉ端末４０ｂとＡＰ２０ｃとの間の通信が確立される（ステップＳ１１０）。
【００４６】
なお、通信が確立すると、インターネット５０と接続されている配信サーバ（図示省略）が、インターネット５０及びＡＰ２０ｂを介して、イベントに関する情報をＷｉＦｉ端末４０ａに提供する。一方、ＡＰ２０ｃは、インターネット５０に接続されていないため、ＡＰ２０ｃに接続されたＷｉＦｉ端末４０ｂは、インターネット５０に接続できず、イベントに関する情報も取得できない。
【００４７】
ＷｉＦｉ端末の収容が完了すると、設定部３４は、割り振り情報テーブル３２２の「収容台数」及び「収容ＭＡＣアドレスリスト」を最新の状態に更新する（ステップＳ１１１）。なお、設定部３４は、ＡＰ２０ａ〜２０ｃに収容されていたＷｉＦｉ端末がイベント会場９００からエリア外に移動し、ＡＰとＷｉＦｉ端末との通信が切断された場合にも、割り振り情報テーブル３２２を最新の状態に更新してもよい。
【００４８】
以上のように、本実施の形態にかかる無線通信システム１の構成によれば、設定部３４が、ＡＰ２０ａ、２０ｂの収容状況に応じて、ＷｉＦｉ端末を新たに収容させるＡＰを選択する。これにより、収容状況の偏りを防止することができる。その結果、通信品質の低下を抑制することができる。
【００４９】
また、設定部３４は、認証失敗となったＷｉＦｉ端末を収容させるＡＰとして、サービス未提供のＡＰ２０ｃを選択する。これにより、サービス未契約のＷｉＦｉ端末も、所定のＡＰに収容されることになる。そのため、サービス未契約のＷｉＦｉ端末が接続先ＡＰをスキャンするためのフレームを送信することを抑制することができる。したがって、サービス未契約のＷｉＦｉ端末から送信されるフレーム（電波）が他のサービス契約済みのＷｉＦｉ端末のフレーム（電波）と干渉することを防止できる。その結果、サービス契約済みのＷｉＦｉ端末の電波環境の品質を向上させることができる。
【００５０】
さらに、設定部３４は、割り振り情報テーブル３２２を参照して、複数のＡＰの収容可能台数に対する収容台数の割合が等しくなるように、ＷｉＦｉ端末を収容させるＡＰを選択する。このため、１つのＡＰの収容率のみが高くなることを防止できる。一般に、ＡＰは収容するＷｉＦｉ端末の台数が増加するにつれて、ＷｉＦｉ端末１台当たりのスループットは低下する。しかしながら、１つのＡＰの収容率のみが高くなることを防止することにより、ＡＰ１台あたりの負荷を分散させることができる。その結果、スループットの低下を抑制することができる。
【００５１】
なお、本発明は上記実施の形態に限られたものではなく、趣旨を逸脱しない範囲で適宜変更及び組み合わせをすることが可能である。例えば、ＡＰやＷｉＦｉ端末等の個数は、上述の実施の形態の数値に限られない。
【００５２】
また、上述の実施の形態においては、ＷｉＦｉ端末を強制的に接続させる手法として、ＭＡＣフィルタを用いたが、ＩＰアドレスフィルタ等の他のフィルタを用いてもよい。また、フィルタ以外の手法として、ＷｉＦｉ端末に予め割り振り用のアプリケーションを搭載しておき、当該アプリケーションを用いて、接続先とすべきＡＰの優先度を設定してもよい。ただし、ＭＡＣフィルタを用いた場合には、上記アプリケーションが不要となるため、無線通信システム１の利便性及び汎用性が向上する。
【００５３】
また、上述の実施の形態における認証サーバ３０の各種処理を、ＷｉＦｉ検知センサ１０や、ＡＰ２０ａ〜２０ｃが行ってもよい。同様に、ＷｉＦｉ検知センサ１０の検知処理を、認証サーバ３０が行ってもよい。さらに、認証サーバ３０は、割り振り情報テーブル３２２を備えずに、定期的にＡＰ２０ａ〜２０ｃに対して問い合わせることにより、ＡＰ２０ａ〜２０ｃの収容状況を確認してもよい。
【００５４】
また、図６に示すように、認証サーバとして機能する管理装置９０は、少なくとも、選択部９１と、接続設定部９２と、を備えていればよい。選択部９１は、ＡＰの収容状況に応じて、複数のＡＰのうち、ＷｉＦｉ端末を収容させるＡＰを選択する。接続設定部９２は、ＷｉＦｉ端末を、選択されたＡＰに強制的に接続させる。このような構成により、認証サーバ３０は、ＡＰの収容状況を確認して、負荷の少ないＡＰにＷｉＦｉ端末を収容させることができる。したがって、ＡＰの収容台数の偏りを防止し、通信品質の低下を抑制するという本願の効果を達成することができる。
【符号の説明】
【００５５】
１  無線通信システム
１０  ＷｉＦｉ検知センサ
２０ａ〜２０ｃ  ＡＰ（アクセスポイント）
３０  認証サーバ
３１  受信部
３２  記憶部
３３  認証部
３４  設定部
４０ａ、４０ｂ  ＷｉＦｉ端末
５０  インターネット
９０  管理装置
３２１  契約者テーブル
３２２  割り振り情報テーブル
９００  イベント会場
【図１】
2015106899.tif 000003
【図２】
2015106899.tif 000004
【図３】
2015106899.tif 000005
【図４】
2015106899.tif 000006
【図５】
2015106899.tif 000007
【図６】
2015106899.tif 000008